(57)【要約】【課題】本発明は、極めて商品価値の高い画期的な農用作業車を提供することを目的とする。【解決手段】果樹園や野菜畑などの農作業地域１内を走行させて農作業に使用する農用作業車であって、走行手段２を具備した機体３に作業台４を設け、この作業台４には昇降機構が設けられており、この昇降機構は、複数の棒状部材６同士を上下方向にスライド伸縮自在に連結して成る伸縮体５により構成されたものである。【選択図】        図１
2004210476.tif 000002
【特許請求の範囲】
【請求項１】
果樹園や野菜畑などの農作業地域内を走行させて農作業に使用する農用作業車であって、走行手段を具備した機体に作業台を設け、この作業台には昇降機構が設けられており、この昇降機構は、複数の棒状部材同士を上下方向にスライド伸縮自在に連結して成る伸縮体により構成されていることを特徴とする農用作業車。
【請求項２】
前記作業台に一端部が枢着されて水平回動自在となる水平回動棒体の他端部に回動自在な作業椅子を設けたことを特徴とする請求項１記載の農用作業車。
【請求項３】
前記作業台に前記水平回動棒体を着脱自在に枢着し得る椅子連結部を設け、前記水平回動棒体に設けられる作業椅子が前記昇降機構を操作する操作部に対して接近移動自在となるように前記椅子連結部の位置を設定したことを特徴とする請求項２記載の農用作業車。
【発明の詳細な説明】
【０００１】
【発明の属する技術分野】
本発明は、農用作業車に関するものである。
【０００２】
【従来の技術及び発明が解決しようとする課題】
従来から、果樹園や野菜畑などの農作業地域内を走行させて農作業に使用する農用作業車（以下、従来例）が提案されている。
【０００３】
この従来例は、走行手段を具備した機体に作業者が乗る作業台を設けた構造であり、この作業台には該作業台を昇降する昇降機構が設けられている。
【０００４】
この昇降機構としては、作業台の下面に連設される棒部材を交叉枢着して成るパンタグラフ構造が一般的である。
【０００５】
ところが、この従来例は、昇降機構を収縮させた際、折り畳まれた棒部材の厚み分だけ作業台は高い位置でその降下が停止することになり、よって、重心を低くするには限界がある。
【０００６】
車体の重心が高いと、足元の不安定な農作業地域内での移動時に不安定であり横転し易く、しかも、例えばブドウ畑のような棚の下を通過できない場合があるなど、背の低い作業環境では不都合が生じてしまう問題点がある。
【０００７】
本出願人は、この問題点に着目し、極めて商品価値の高い画期的な農用作業車を開発した。
【０００８】
【課題を解決するための手段】
添付図面を参照して本発明の要旨を説明する。
【０００９】
果樹園や野菜畑などの農作業地域１内を走行させて農作業に使用する農用作業車であって、走行手段２を具備した機体３に作業台４を設け、この作業台４には昇降機構が設けられており、この昇降機構は、複数の棒状部材６同士を上下方向にスライド伸縮自在に連結して成る伸縮体５により構成されていることを特徴とする農用作業車に係るものである。
【００１０】
また、前記作業台４に一端部が枢着されて水平回動自在となる水平回動棒体１３の他端部に回動自在な作業椅子１１を設けたことを特徴とする請求項１記載の農用作業車に係るものである。
【００１１】
また、前記作業台４に前記水平回動棒体１３を着脱自在に枢着し得る椅子連結部１２を設け、前記水平回動棒体１３に設けられる作業椅子１１が前記昇降機構を操作する操作部１９に対して接近移動自在となるように前記椅子連結部１２の位置を設定したことを特徴とする請求項２記載の農用作業車に係るものである。
【００１２】
【発明の作用及び効果】
本発明は、使用に際し、走行手段２により農作業地域１を走行して任意の位置に移動し、作業環境の高さに応じて昇降機構により作業台４を昇降させ、この作業台４上にて作業者は農作業を行う。
【００１３】
ところで、本発明は、作業台４を昇降させる昇降機構は、複数の棒状部材６同士を上下方向にスライド伸縮自在に連結して成る伸縮体５により構成されている。
【００１４】
この昇降機構を具備することにより、本発明は、走行手段２による走行時における安定性能の向上と、農作業時における作業性能の向上に貢献する。
【００１５】
即ち、前述した従来例と異なり、パンタグラフ構造の棒部材などが作業台４の下方には存在しないから、作業台４を最も下げた時には従来例に比して重心が極めて低いものとなり、よって、足元の不安定な農作業地域１内であっても安定した良好な走行が可能となり、しかも、車体自体を低くすることができるから、それだけ種々存在する高さの異なる農作業環境に対応して高所での作業が行えるのは勿論、従来例では進入が困難とされる例えばブドウ畑などの棚がある低所の農作業環境であっても作業台４に乗ったまま作業が良好に行えることになる。
【００１６】
以上のように、本発明は、従来にない画期的な作用効果を発揮し、極めて商品価値の高いものになる。
【００１７】
【発明の実施の態様】
図面は本発明の一実施例を図示したものであり、以下に説明する。
【００１８】
本実施例は、果樹園や野菜畑などの農作業地域１内を走行させて農作業に使用するものである。
【００１９】
具体的には、金属製のフレーム構造から成る機体３に走行手段２及び作業台４を設けている。
【００２０】
走行手段２は、図１に図示したように機体３の左右位置に設けられる前後スプロケット７ａ，７ｂと、該前後スプロケット７ａ，７ｂ間に架設されるゴムクローラ７ｃとから成る走行部７を設け、この走行部７は、機体３の上部正面位置に設けられる適宜な駆動装置８（エンジン）の作動により駆動するように構成されている。
【００２１】
また、この走行手段２を操作するための操作部１０が作業台４の正面位置に設けられており、機体３の走行・停止の操作をするための走行レバー１０ａと、機体３の向きを変える操作をするための左右の操向レバー１０ｂと、スピード調整の操作をするための変速レバー１０ｃとが設けられている。
【００２２】
尚、走行レバー１０ａには、駆動装置８に接続される線状部材１４としてのワイヤーが延設され、操向レバー１０ｂ及び変速レバー１０ｃには、トランスミッション２０（減速装置）に接続される線状部材１４としてのワイヤーが延設されている。
【００２３】
作業台４は、図２に図示したように適宜な金属製の部材を板状に形成したものであり、枠体４ａと、この枠体４ａに架設される板体４ｂとで構成されている。
【００２４】
また、作業台４は、その左右側部に金属製のフェンス体９が立設状態に設けられており、このフェンス体９は、略水平状態となるまで擺動自在に設けられており、作業台４への乗降時に乗降用の昇降用踏み部（ステップ）として機能するように構成されている。
【００２５】
また、作業台４は、その上部中央左右位置に座った状態で農作業を行う為の作業椅子１１を着脱自在に連結する一対の椅子連結部１２が設けられており、この椅子連結部１２は、作業椅子１１の下面に一端部を枢着した水平回動棒体１３の他端部を水平回動自在にして着脱自在に枢着連結し得るように構成されるとともに、水平回動棒体１３に設けられる作業椅子１１が後述する昇降機構を操作するための操作部１９及び走行手段２を操作するための操作部１０に対して接近移動自在となるように椅子連結部１２の位置は設定されている。
【００２６】
従って、作業椅子１１は、自転自在であり、更に、水平回動棒体１３が椅子連結部１２を支点として水平回動することで作業台４上を水平回動自在であり、この一方の椅子連結部１２に連結した水平回動棒体１３を介して作業台４上を水平回動する際には、農作業を行う作業部位Ｐ１（機体３後方位置）から昇降機構を操作するための操作部１９及び走行手段２を操作するための操作部１０を座りながら操作が行える部位Ｐ２（機体３前方位置）まで該操作部１０，１９に対して接近移動自在となる。
【００２７】
また、作業台４は、その一側下面部にして機体３との間に操作部１０，１９から延設されるワイヤーやハーネスなどの線状部材１４をガイドする長尺体１５（ガイド体）が設けられている。
【００２８】
このガイド体１５は、図１〜３に図示したように一対の金属製の棒材１５ａ，１５ｂを屈曲可能に連結して構成されており、具体的には、作業台４の正面所定位置に一端部（上端部）が枢着される第一棒材１５ａと、この第一棒材１５ａの他端部（下端部）に一端部（上端部）が枢着され、機体３の正面所定位置に他端部（下端部）が枢着される第二棒材１５ｂとで構成され、この第一棒材１５ａ及び第二棒材１５ｂ夫々には、ワイヤーやハーネスなどの線状部材１４が紐状の連結体２２を介して添設状態に支え止めされている。
【００２９】
従って、ガイド体１５は、作業台４を最も下げた状態では第一棒材１５ａと第二棒材１５ｂとが互いに重合する折り畳み状態となるまで伏し動（縮み動）することになり、作業台４を上昇させた際には、くの字状となるまで起き動（伸び動）することになり、この作業台４の昇降に伴うガイド体１５の起伏動により線状部材１４の動きを規制することで、線状部材１４の捩れ（絡み）や機械で挟んで切断しまうなどのトラブルを防止することになる。
【００３０】
昇降機構は、作業台４に連設される伸縮体５を機体３に設けて構成され、この伸縮体５は、４本の棒状部材６同士を上下方向にスライド伸縮自在に連結して構成されている。この昇降機構は操作部１９の操作により作動し、操作部１９は、図２に図示したように作業台４の前後位置にハーネスが延設されるスイッチ１９ａ，１９ｂを設けて構成されており、このスイッチ１９ａ，１９ｂの押し操作により昇降機構は作動する。符号１９ｃ，１９ｄはエンジン始動・停止スイッチである。
【００３１】
具体的には、この伸縮体５は、機体３の正面側所定位置に立設される角筒状の第一部材６ａと、この第一部材６ａに被嵌連結される角筒状の第二部材６ｂと、この第二部材６ｂに被嵌連結される角筒状の第三部材６ｃと、この第三部材６ｃに被嵌連結される角筒状の第四部材６ｄとで構成され、各部材６ａ，６ｂ，６ｃ，６ｄ同士は互いに連動して伸縮自在に連結されている。
【００３２】
即ち、第一部材６ａ内に前記スイッチ１９ａ，１９ｂのＯＮ・ＯＦＦ操作により作動する油圧式駆動部２１（油圧ポンプ、油圧バルブ及び油圧用油タンクを一体的に構成させたもの）に接続されたシリンダー装置１６（油圧シリンダー）を配設し、このシリンダー装置１６のロッド１６ａの先端を第二部材６ｂの上端部に連結し、第一部材６ａの上端部にチェーン部材１７ａの一端部を連結するとともに、第二部材６ｂの上部に固定した滑車１８ａ（歯車）を介してその他端部を第三部材６ｃの下端部に連結しており、このシリンダー装置１６を作動させてロッド１６ａが伸びることで第一部材６ａに対して第二部材６ｂが上昇し、この際、第二部材６ｂの上部に固定した滑車１８ａが上昇するにつられチェーン部材１７ａに引っ張られて第三部材６ｃが第二部材６ｂに対して上昇することになる。また、第三部材６ｃと第四部材６ｄとの間にも、前述した第二部材６ｂと第三部材６ｃとの間に設けたチェーン部材１７ｂと滑車１８ｂとから成る連動機構が設けられており、よって、第三部材６ｃの上昇に伴い第四部材６ｄが上昇することになる。
【００３３】
以上の構成から、伸縮体５はシリンダー装置１６の伸縮に伴い各部材６ａ，６ｂ，６ｃ，６ｄが連動することで上下方向に伸縮することになる。
【００３４】
また、伸縮体５を構成する最上段となる第四部材６ｄの側部下方位置に前述した作業台４が略水平状態に突設されている。
【００３５】
この構成から、伸縮体５を伸ばした際には、作業台４を上方に移動させることができ、伸縮体５を最も縮めた状態とした際には、作業台４は可及的に低い位置まで移動することができる。
【００３６】
本実施例は上述のように構成したから、使用に際し、走行手段２により農作業地域１を走行して任意の位置に移動し、作業環境の高さに応じて昇降機構により作業台４を昇降させ、この作業台４上にて作業者は農作業を行う。
【００３７】
この作業台４を昇降させる昇降機構は、作業台４に連設される伸縮体５を機体３に設けて構成され、この伸縮体５は複数の棒状部材６同士を上下方向にスライド伸縮自在に連結して構成されている。
【００３８】
また、作業者が座る作業椅子１１は、自転自在であり、更に、水平回動棒体１３を介して水平回動させた際には、昇降機構を操作するための操作部１９及び走行手段２を操作するための操作部１０を座りながら操作が行える位置まで該操作部１０，１９に対して接近移動自在であり、農作業を行う作業位置と操作部１０，１９を操作する部位との間を座った状態のまま移動することができる。
【００３９】
よって、本実施例は、前述した従来例と異なり、パンタグラフ構造の棒部材などが作業台４の下方には存在しないから、作業台４を最も下げた時には従来例に比して重心が極めて低いものとなり、よって、足元の不安定な農作業地域内であっても安定した良好な走行が可能となり、しかも、車体自体を低くすることができるから、それだけ種々存在する高さの異なる農作業環境に対応して高所での作業が行えるのは勿論、従来例では困難とされる例えばブドウ畑などの棚がある低所の農作業環境であっても作業台４に乗ったまま作業が良好に行えることになる。
【００４０】
また、本実施例は、自転自在な作業椅子１１に座って良好に作業が行えるのは勿論、作業者はこの作業椅子１１に座った状態のまま農作業を行う部位Ｐ１と操作部１０，１９を操作する部位Ｐ２との間を移動することができるから、より一層作業が良好に行えることになり、しかも、例えば作業台４が上昇した高所に位置する状態でも作業者は立ち上がった状態で作業台４上を移動する必要は無く極めて安全である。
【００４１】
尚、本発明は、本実施例に限られるものではなく、各構成要件の具体的構成は適宜設計し得るものである。
【図面の簡単な説明】
【図１】本実施例を示す側面図である。
【図２】本実施例を示す平面図である。
【図３】本実施例に係る農用作業車を正面方向から見た状態の説明図である。
【図４】本実施例の使用状態説明図である。
【符号の説明】
１  農作業地域
２  走行手段
３  機体
４  作業台
５  伸縮体
６  棒状部材
１１  作業椅子
１２  椅子連結部
１３  水平回動棒体
１９  操作部
【図１】
2004210476.tif 000003
【図２】
2004210476.tif 000004
【図３】
2004210476.tif 000005
【図４】
2004210476.tif 000006